(57)【要約】【課題】  本発明は、病室内に設置され、患者に医療看護行為を行う為の病室用医療用コンソールユニットに関するもので、簡単な構造で、機能性・意匠性に優れた医療用コンソールユニットを提供することを課題とする。【解決手段】  医療用ガス等のアウトレットやコンセント、スイッチ等が組みつけられる医療用コンソールユニットにおいて、少なくとも前記アウトレットの前方側が、開閉自在の扉体で覆われることによってアウトレットを隠蔽するとともに、扉体を開放することによってアウトレットが露呈するものであって、扉体は、本体に対し回動開閉自在で、回動開放した状態から本体の奥行き方向にスライド可能とされると共に、扉体の閉鎖中および開放途中で、扉体が本体に対しスライドするのを阻止する開放規制案内装置を、本体と扉体間に有することを特徴とする医療用コンソールユニット。【選択図】   図１３
2015198853.tif 000002
【特許請求の範囲】
【請求項１】
医療用ガスのアウトレットや医療用壁掛式吸引器の取り付けフック、ナースコール子機器具、コンセント、スイッチ等が組み付けられる医療用コンソールユニットにおいて、医療用コンソールユニットは、上下方向に長い縦型形態の本体と、開閉自在の扉体を備え、前記アウトレットの前面側が閉止状態の前記扉体で覆われることによって、少なくともアウトレットが隠蔽されるとともに、閉止した扉体を開放することによって、アウトレットが露呈するように施されたものであって、扉体は、略矩形を成す板状であって、扉体の左右縦辺のいずれか一辺側を回転軸とし、本体に対し回動開閉自在で、回動開放した状態から本体の奥行き方向にスライド可能とされると共に、扉体の閉鎖中および開放途中で、扉体が本体に対しスライドするのを阻止する開放規制案内装置を、本体と扉体間に有することを特徴とする医療用コンソールユニット。
【請求項２】
開放規制案内装置は、扉体の裏面側で、扉体の巾方向に渡って配設され、扉体の閉鎖中および開放途中は、扉体の回動側端部が本体前端部に当接することで、扉体のスライドを阻止し、回動開放姿勢で、本体に設けられた本体案内孔に嵌入可能な位置に達する案内規制杆を有することを特徴とする請求項１に記載の医療用コンソールユニット。
【請求項３】
本体案内孔は、本体前端面と本体の奥行き方向に所定間隔を有する位置に、少なくとも２箇所設けられていることを特徴とする請求項２に記載の医療用コンソールユニット。
【発明の詳細な説明】
【技術分野】
【０００１】
本発明は、主に病室内に設置され、患者に医療看護行為を行う為のコンセント、スイッチ、ナースコールなどの電気設備や、医療用ガスのアウトレットなどが組み付けられる医療用コンソールユニットに関するものである。
【背景技術】
【０００２】
ベッドの頭部側壁面に固定された医療用コンソールユニットにおいて、医療用ガス等のアウトレット等の医療看護設備が露呈すると、患者が息苦しさと不安感を感じ、病室の雰囲気としても好ましくないため、医療用ガス等のアウトレット等を摺動開閉自在な前面カバーによって覆うものがある。
このような前面カバーは昇降機構を介して取り付けられており、前面カバーを上昇させて前面を開放し、上昇させた前面カバーを下降させて前面を閉鎖するように開放閉塞自在とされる。
【０００３】
そして、前面カバーから開放された部分に、アウトレットが並設されると共に医療用壁掛式吸引器を引っ掛けるためのフックが取り付けられている。
医療用壁掛式吸引器は、前記フックの上方より下方に向かってスライドさせることによって、フックに医療用壁掛式吸引器を引っ掛けるが、医療用壁掛式吸引器の種類によっては、医療用壁掛式吸引器をフックの上方より下方に向かってスライドさせる時に、フックの上方に上昇した状態の前面カバーがあると、前面カバーと医療用壁掛式吸引器が干渉してフックに取り付けることができないといった問題がある。
【０００４】
また、アウトレットの上方部に、ガス配管や電気配線のメンテナンス作業用にメンテナンス用開口部を設け、該開口部を着脱自在なパネルで閉塞し、メンテナンス時に前記パネルを取り外しメンテナンス作業が行えるようにしたものがあるが、昇降式の前面カバーの場合、上昇した扉がメンテナンスの邪魔になるので、メンテナンスの度にカバー体を取り外す必要があった。
【０００５】
さらに、昇降式の前面カバーにすると、前面カバーを上昇させる時に、前面カバーの重量分を持ち上げることになるため、大きな前面カバーにした場合には上昇操作が非常に重たくなる。操作が重たくなるのを軽減させるためにバランサーなどを設ける方法もあるが、構造が複雑になるばかりでなく、扉の大きさが変化するたびにバランサーの調整が必要となり手間がかかるといった問題がある。
また、横長形態の医療用コンソールの場合、医療用コンソールユニットの平面視における面積が大きくなるため、医療用コンソールユニットの面積分の病室の床面積が減少するといった問題がある。
【先行技術文献】
【特許文献】
【０００６】
【特許文献１】特開２０１０−０４２０７２公報
【発明の概要】
【発明が解決しようとする課題】
【０００７】
本発明は、従来の問題点に鑑みて、簡単な構造で、機能性・意匠性に優れた使い勝手のよい医療用コンソールユニットを提供することを課題とする。
【課題を解決するための手段】
【０００８】
上記課題を解決する為、本発明が第１の手段として構成したところは、医療用ガスのアウトレットや医療用壁掛式吸引器の取り付けフック、ナースコール子機器具、コンセント、スイッチ等が組み付けられる医療用コンソールユニットにおいて、医療用コンソールユニットは、上下方向に長い縦型形態の本体と、開閉自在の扉体を備え、前記アウトレットの前面側が閉止状態の前記扉体で覆われることによって、少なくともアウトレットが隠蔽されるとともに、閉止した扉体を開放することによって、アウトレットが露呈するように施されたものであって、扉体は、略矩形を成す板状であって、扉体の左右縦辺のいずれか一辺側を回転軸とし、本体に対し回動開閉自在で、回動開放した状態から本体の奥行き方向にスライド可能とされると共に、扉体の閉鎖中および開放途中で、扉体が本体に対しスライドするのを阻止する開放規制案内装置を、本体と扉体間に有するものである。
【０００９】
次に、上記課題を解決する為、本発明が第２の手段として構成したところは、上記第１の手段に加え、開放規制案内装置は、扉体の裏面側で、扉体の巾方向に渡って配設され、扉体の閉鎖中および開放途中は、扉体の回動側端部が本体前端部に当接することで、扉体のスライドを阻止し、回動開放姿勢で、本体に設けられた本体案内孔に嵌入可能な位置に達する案内規制杆を有するものである。
【００１０】
次に、上記課題を解決する為、本発明が第３の手段として構成したところは、上記第２の手段に加え、本体案内孔は、本体前端面と本体の奥行き方向に所定間隔を有する位置に、少なくとも２箇所設けられているものである。
【発明の効果】
【００１１】
本発明が第１の手段として構成したところによると、医療用ガス等のアウトレットが扉体で覆われるので、アウトレットが露呈することがなく患者が息苦しさと不安感が生じにくい。また、アウトレットへの悪戯を防止することができる。扉体は、一辺側に設けられた回転軸を軸として回動開放するので、フックの上方に開放した扉体がくることはない。そのため、医療用壁掛式吸引器をフックの上方より下方に向かってスライドさせる場合にも、医療用壁掛式吸引器が扉体に干渉することがなく、吸引ビンを容易にフックに引っ掛けることができる。さらに、アウトレットの上部にメンテナンス用開口部があっても、メンテナンス時に扉体が邪魔にならないのでメンテナンスが容易に行える。そして通常は、メンテナンス用開口部を扉体と同じ厚みのパネル体で塞くこともできるため、扉体を閉止した状態では医療用コンソールユニットの前面に無用な凹凸がなく見栄えが良い。
【００１２】
そして、医療用コンソールユニットは、縦型形態とされているため、床面から天井面まで延伸させることが容易で、天井内に配設される医療用のガス配管や電気配線などを、天井から直接医療用コンソールユニットの上面から医療用コンソールユニット内に引き込むができるので、ガス配管、電気工事が容易になるだけではなく、医療用コンソールユニットの平面視における面積が、横長形態の医療用コンソールに比べ小さくできるので、病室の床面積の減少を抑制することができる。
【００１３】
さらに、扉体は、一辺側に設けられた回転軸を軸として回動開放するだけでなく、開放された扉体は、本体の奥行き方向にスライド移動可能であるから、扉体が必要以上に突出せず、医療看護行為の邪魔にならない。
又、開放途中で、扉体が本体に対しスライドするのを阻止する開放規制案内装置を、本体と扉体間に有するものであるから、医療用コンソールユニットを併設した状態でもあっても、扉体の開放途中で、回動中心側端部が、他方の医療用コンソールユニットに衝突して、使用中の医療看護用機器を破損させたりすることが無く、安全に開放することができる。
【００１４】
本発明が第２の手段として構成したところによると、扉体の閉鎖中および開放途中は、扉体の回動側端部が本体前端部に当接することで、扉体のスライドを阻止し、回動開放姿勢で、本体に設けられた本体案内孔に嵌入可能な位置に達する案内規制杆を、扉体の裏面側に配設しているので、扉体の閉鎖状態で、開放規制案内装置（本体案内請孔と案内規制杆）は、扉体で隠蔽されるので、医療用コンソールユニットとしての体裁を損なうことがない。
【００１５】
本発明が第３の手段として構成したところによると、本体案内孔は、本体前端面と本体の奥行き方向に所定間隔を有する位置に、少なくとも２箇所設けられているので、扉体が本体の側面側にスライドした状態で、扉体の先端側（回動側端部）を中心に、奥行き側端部が、本体から離間する方向に揺動することがない。すなわち、本体の側面側にスライドした扉体を確実に引き出さない限り、扉体を回動閉鎖することができないので、操作性に優れている。
【図面の簡単な説明】
【００１６】
【図１】医療用コンソールユニットの使用状態を示す斜視図
【図２】医療用コンソールユニットの正面図
【図３】医療用コンソールユニットの扉体を回動開放して、奥行き方向にスライ            ドさせた状態の正面図状態の正面図
【図４】医療用コンソールユニットの扉体を回動開放した状態の斜視図
【図５】医療用コンソールユニットの扉体を回動開放して、奥行き方向にスライ            ドさせた状態の斜視図
【図６】図５のＡ部拡大図
【図７】図５のＢ部拡大図
【図８】図６のＣ−Ｃ線要部断面図
【図９】図２のＤ−Ｄ線要部断面図
【図１０】図３のＥ−Ｅ線要部断面図
【図１１】図２のＦ−Ｆ線要部断面図
【図１２】図４のＧ−Ｇ線要部断面図
【図１３】図３のＨ−Ｈ線要部断面図
【図１４】図１１のＪ部拡大図
【発明を実施するための最良の形態】
【００１７】
医療用ガスのアウトレットや医療用壁掛式吸引器の取り付けフック、ナースコール子機器具、コンセント、スイッチ等が組み付けられる医療用コンソールユニットにおいて、医療用コンソールユニットは、上下方向に長い縦型形態の本体と、開閉自在の扉体を備え、前記アウトレットの前面側が閉止状態の前記扉体で覆われることによって、少なくともアウトレットが隠蔽されるとともに、閉止した扉体を開放することによって、アウトレットが露呈するように施されたものであって、扉体は、略矩形を成す板状であって、扉体の左右縦辺のいずれか一辺側を回転軸とし、本体に対し回動開閉自在で、回動開放した状態から本体の奥行き方向にスライド可能とされると共に、扉体の閉鎖中および開放途中で、扉体が本体に対しスライドするのを阻止する開放規制案内装置を、本体と扉体間に有し、開放規制案内装置は、扉体の裏面側で、扉体の巾方向に渡って配設され、扉体の閉鎖中および開放途中は、扉体の回動側端部が本体前端部に当接することで、扉体のスライドを阻止し、回動開放姿勢で、本体に設けられた本体案内孔に嵌入可能な位置に達する案内規制杆を有し、本体案内孔は、本体前端面と本体の奥行き方向に所定間隔を有する位置に、少なくとも２箇所設けられているものである。
【実施例】
【００１８】
以下、第１実施例を添付図面に基づいて詳述する。
図１において、符号１００は、ベッド２００の頭部側壁面２０１に設置された本発明の医療用コンソールユニットを示し、医療用コンソールユニット１００は、本体１と、本体１の前面側に回転摺動レール４、４（図４に示す。）を介して設置される扉体２と、扉体２上方側に設けられたパネル体３より構成されている。
尚、図１におけるベッド２００の頭部側壁面２０１側を後面、その対向側を前面とし、前面、後面方向を前後方向とし、左右方向は、前面側から後面側を見た状態での左右方向と便宜的に設定する。
【００１９】
本体１は、前面側が開口する平面視略コ字形の基枠１１と、基枠１１の上端部に取り付けられた隙間調整材１２と、基枠１１の左右間の所定位置に取り付けられた左右区画板１３と、基枠１１の下端部の前面側開口部を閉塞する巾木板１４とで縦長箱状に形成されると共に、図４に示すように、基枠１１の上下方向中間付近の前面側に、医療用ガスのアウトレット（取出金具）用のアウトレット開口部１５１が設けられたガス取出用化粧カバー１５が着脱自在に取り付けられ、該ガス取出用化粧カバー１５の下方部に、電気設備の種類に応じた電気設備開口部１６１が設けられた電気設備用化粧カバー１６が着脱自在に取り付けられたものである。
本体１の内部は、左右区画板１３によって、ガス配管スペース、強電スペース、弱電スペースに別けられる。
尚、これらのアウトレット開口部１５１、電気設備開口部１６１の数量・位置は、医療用コンソールユニットが設置される病室の仕様に応じて適宜設定されるものである。
【００２０】
そして、図５に示すように、アウトレット２１、医療用壁掛式吸引器の取り付けフック２２が、アウトレット開口部１５１から露呈するように、基枠１１に設けられた取り付け座に取り付けられ、医用コンセント２３の接続部が電気設備開口部１６１から露呈するように、電気設備用化粧カバー１６に取り付けられている。
尚、アウトレット取り付け部付近の本体１の内部には、左右区画板１３が設けられないが、区画カバー体（図示せず。）によってガス配管スペース、強電スペース、弱電スペースに別けられる。
【００２１】
また、アウトレット取り付け部の下方部の本体１の内部には、隔壁板（図示せず。）が設けられ、隔壁板の下方部を電気配線スペースに、隔壁板の上方部をガス配管スペースに別けている。そして、隔壁板には前記区画カバー体によって形成された強電スペース、弱電スペース部に対応して連通孔が設けられており、電気配線を本体１の上端から下端部まで通すことができるようになっている。
【００２２】
これらのガス取出用化粧カバー１５、電気設備用化粧カバー１６の前面側は、閉鎖時の扉体２によって露呈しないように覆われる。
隙間調整部材１２は、基枠１１の上端と天井下面との隙間を埋めるものであって、後面側が開口する平面視略コ字形を成し、上下高さ調節可能に基枠１１に取り付けられている。
【００２３】
基枠１１の右側面には、図４に示すように、電気設備の種類に応じた側面電気設備開口部１１１が形成され、該側面電気設備開口部１１１に、患者による操作によって医療従事者を呼び出すためのナースコール子機器具２５と照明器具用スイッチ２６、一般用コンセント２７が取り付けられている。（図５に示す。）
尚、これらの側面電気設備開口部１１１の数量・位置は、医療用コンソールユニットが設置される病室の仕様に応じて適宜設定されるものである。
【００２４】
扉体２は縦長矩形の板状であって、ガス取出用化粧カバー１５、電気設備用化粧カバー１６の前面を覆い、アウトレット２１、医療用壁掛式吸引器の取り付けフック２２や医用コンセント２３等が隠蔽できる大きさに設定され、左側端部側を回転軸として回転摺動レール４、４を介して開閉自在に基枠１１に取り付けられていると共に、開放規制案内装置５によって、閉鎖中あるいは開放途中で、基枠１１に対してスライドするのを阻止されている。
【００２５】
尚、符号２００は、扉体２の正面側の右側端部付近に設けられた扉体２の施錠用の錠前を示している。すなわち、本願発明の医療用コンソールユニット１００は、扉体２の閉鎖姿勢で、施錠されている時に、錠前２００の鍵２０１（図９、図１０に示す。）は錠前２０から、抜き差し可能で、開錠された状態の時には抜き出すことができない仕様となっている。
よって、鍵を管理する者の許可を得ない限り、閉鎖中の扉体２を開放することができないので、扉体２は誤って開放されることが無く、本願発明の医療用コンソールユニット１００は安全に使用される。
又、扉体２は、開錠された状態で、鍵２０１をつまんで開閉されるので、扉体２を開閉するための取手を設ける必要もない。
【００２６】
回転摺動レール４は、外側レール４１１と内側レール４１２と、外側レール４１１と内側レール４１２間で複数の摺動用ボール４１３を保持するボールリテーナー４１４とで構成されるスライドレール４１と、内側レール４１１に取り付けられたヒンジ４２とで構成され、外側レール４１１が扉体２の裏面のレール取り付け部２０に固定される。
ヒンジ４２は、基枠１１の左端部正面側切り欠き部１１２に固定される基枠側ヒンジ４２１と、内側レール４１１に固着されるレール側ヒンジ４２２と、基枠側ヒンジ４２１とレール側ヒンジ４２２とを回動自在に連結する回転軸４２０より構成されている。
【００２７】
開放規制案内装置５は、扉体２の裏面側で、扉体２の巾方向に渡って配設された案内規制杆５２と、扉体２の回動開放姿勢で、案内規制杆５２が嵌入する本体１に設けられた本体案内孔５１より構成されている。
案内規制杆５２は、全体が丸棒状で、扉体２の回動側端部が先細りとなり、その端部が本体１の前端部に近接し、扉体２の閉鎖中および開放途中は、本体１の前端部に当接することで、扉体２のスライドを阻止し、他方の端部側は、扉体２の裏面に設けられた連結座取付部２０２に連結された規制杆連結座５３にネジ止め連結されている。
尚、案内規制杆５２の規制杆連結座５３とのネジ止め部分は、本体１側の端面を平坦状に加工し、この箇所を規制杆連結座５３に対するネジ止め部分とすると共に、扉体２の閉鎖時に本体１内に設けたプッシュマグネットキャッチ５０に対するキャッチ受け部としている。このようにすることで、部品点数を削減できるので、組み立て工数も削減でき、コストダウンを図ることが出来る。
【００２８】
規制杆連結座５３は、連結座取付部２０２にネジ止め連結される連結用基板部５３１と、連結用基板５３１の扉体２の回動側端部側から、扉体２の閉鎖状態で、扉体２から離れながら扉体２の回動側に斜めに突出し、端部が扉体２から直行する方向に突出し、案内規制杆５２の保持用切り欠き部５３２（図７に示す。）が形成された案内規制杆保持部５３３と、案内規制杆５２の他方側がネジ止め連結される規制杆連結部５３４より形成されている。
そして、扉体２が回動開放した状態から本体１の奥行き方向にスライドしたとき、案内規制杆保持部５３３が本体１の前端面に当接して、扉体２のスライドが停止する構成となっている。
【００２９】
本体案内孔５１は、本体１の前端面と本体の奥行き方向に所定間隔を有する位置に、少なくとも２箇所設けられている。
すなわち、本体案内孔５１は、本体１の左側前端面に形成された嵌入案内孔５１１と、左側壁１１４の奥行き方向の中央部内面に設けられた縦補強材１１５の前面に形成され、嵌入案内孔５１１より所定寸法奥行き方向に位置する揺れ止め嵌入孔５１２より構成されている。符号５１３・・・は案内規制杆５２の挿通用逃がし孔を示している。
そして、嵌入案内孔５１１と揺れ止め嵌入孔５１２には、案内規制杆５２の円滑な嵌入と摩擦音の発生を防止するためにグロメット５１０、５１０が取り付けられている。
【００３０】
上記のごとく構成された扉体２、開放規制案内装置５は次のように作用する。扉体２の閉鎖状態(施錠状態、図９に示す状態)から、錠前２００を開錠し、扉体２を手前に引くと、ヒンジ４２の回転軸４２０を回動中心として回動開放する。
このとき、扉体２が本体１に対して巾方向にスライドしそうになると、案内規制杆５２の扉体２の回動側端部が、本体１の前端部内面に設けた緩衝部材（ゴム片）１１３（図１４に示す。）に当接してスライドを阻止し、さらに、扉体２の回動に伴って、案内規制杆５２の扉体２の回動側端部も、本体１の前端面周りを移動するが、扉体２が本体１に対してスライドしそうになると、本体１の前端面周りのいずれかの箇所に、案内規制杆５２の扉体２の回動側端部が当接するので、扉体２が本体１に対してスライドすることはない。そして、扉体２が約９０度開いた状態（図１２の状態）で、扉体２を奥行き方向側に押し込むと、扉体２は、スライドレール４１の摺動作用によって奥行き方向にスライド移動する。
【００３１】
同時に、案内規制杆５２の扉体２の回動側端部が、本体１の嵌入案内孔５１１（グロメット５１０）から、揺れ止め嵌入孔５１２（グロメット５１０）に嵌入し、案内規制杆保持部５３３が本体１の前端面に当接して、扉体２のスライドが停止し、扉体２は本体１の左側面外側に収容される。（図１３に示す状態。）
【００３２】
このように扉体２は本体１の左側面外側に収容されるので、袋状の扉収容部のように埃溜りになるといったことや、清掃性が悪いといったことがなく、病院での使用に適している。
又、案内規制杆５２は本体案内孔５１に嵌入しているので、本体１の左側面外側に収容された状態で、扉体２の奥行き側端部が本体１から離れる方向で揺動することもなく、並設された他方の医療用コンソールユニットに、開放された扉体２が衝突するなどして、悪影響を及ぼすこともない。
したがって、嵌入案内孔５１１と揺れ止め嵌入孔５１２間を連結し、パイプ状の案内孔にしてもよい。しかしながら、本実施例のように前後に２箇所の案内孔にしたほうが、案内規制杆と案内孔で発生する摺動抵抗が少なくなるので操作性が良い。
【００３３】
パネル体３は、扉体２とほぼ同じ厚みの縦長矩形の板状に形成され、扉体２の上方の基枠１１の前面のメンテナンス用開口部を閉塞するように、キャッチなどで着脱自在に基枠１１に取り付けられている。パネル体３は、意匠上の役割に加え、本体１の内に配設されるガス配管や電気配線などをメンテナンスするときに、本体１から一時的に外されるメンテナンスカバーの役割も兼ねているものである。
パネル体３は、ヒンジなどを用いて回動開閉できるようにしてもよい。この場合、悪戯防止のため、鍵で施錠するなど容易に開閉出来ないようにしたほうが良い。
又、扉体２を上方まで延伸させ、扉体２で隠れる部分にパネル体３を設置しても良い。この場合、パネル体３の表面はガス取出用化粧カバー１５の表面と面一となるようにした方が見栄えがよい。
【００３４】
アウトレット２１、医療用壁掛式吸引器の取り付けフック２２や医用コンセント２３、扉体２は、本体の正面側ではなく、本体の側面側に設置しても良い。
この場合、ナースコール子機器具２５と照明器具用スイッチ２６は、本体の側面側のアウトレット下方部に設置されることになるため、ナースコール子機器具２５と照明器具用スイッチ２６が常時露呈するように、扉体２をアウトレットが隠蔽する大きさ（高さ）とし、アウトレットのみを隠蔽するほうが使い勝手に優れる。
この場合、パネル体３は、アウトレット組み付け部の上方側の本体１の側面側に設けてもよいが、アウトレット組み付け部の上方側の本体１の正面側に設けたほうがメンテナンス性に優れる。
【符号の説明】
【００３５】
１        本体
１００    医療用コンソールユニット
２        扉体
２１      アウトレット
２２      医療用壁掛式吸引器の取り付けフック
２５      ナースコール子機器具
２６      スイッチ
２７      コンセント
３        パネル体
４        回転摺動レール
５        開放規制案内装置
５１      本体案内孔
５２      案内規制杆
５３      規制杆連結座
５３３    案内規制杆保持部
【図１】
2015198853.tif 000003
【図２】
2015198853.tif 000004
【図３】
2015198853.tif 000005
【図４】
2015198853.tif 000006
【図５】
2015198853.tif 000007
【図６】
2015198853.tif 000008
【図７】
2015198853.tif 000009
【図８】
2015198853.tif 000010
【図９】
2015198853.tif 000011
【図１０】
2015198853.tif 000012
【図１１】
2015198853.tif 000013
【図１２】
2015198853.tif 000014
【図１３】
2015198853.tif 000015
【図１４】
2015198853.tif 000016